(57)【要約】【課題】装置の大型化を抑えつつ、画質の劣化を抑えて様々なアスペクト比に対応できるプロジェクターを提供すること。【解決手段】本発明のプロジェクター１は、光源部から射出される光を用いて被照射面１０ａに画像を表示させるプロジェクターであって、光源部から射出された光を画像信号に応じて変調する光変調素子と、光変調素子に変調された光を屈折させる第１光学系４と、第１光学系で屈折された光を反射して広角化させる少なくとも１つの凹面ミラー３１を備える第２光学系６と、光変調素子と第２光学系との間の光路中に配置され、被照射面に表示される画像のアスペクト比を変換させるアスペクト比変換部８と、を有する。【選択図】図２
2010217830.tif 000002
【特許請求の範囲】
【請求項１】
光源部から射出される光を用いて被照射面に画像を表示させるプロジェクターであって、
前記光源部から射出された光を画像信号に応じて変調する光変調素子と、
前記光変調素子に変調された光を屈折させる第１光学系と、
前記第１光学系で屈折された光を反射して広角化させる少なくとも１つの凹面ミラーを備える第２光学系と、
前記光変調素子と前記第２光学系との間の光路中に配置され、前記被照射面に表示される画像のアスペクト比を変換させるアスペクト比変換部と、を有することを特徴とするプロジェクター。
【請求項２】
前記アスペクト比変換部は、前記第１光学系と第２光学系との間の光路中に配置されることを特徴とする請求項１に記載のプロジェクター。
【請求項３】
前記アスペクト比変換部は、一断面において正のパワーを有する第１のレンズ群と、前記第１のレンズ群と同じ断面において負のパワーを有する第２のレンズ群と、を備えたアフォーカル光学系であることを特徴とする請求項１または２に記載のプロジェクター。
【請求項４】
前記第１のレンズ群および前記第２のレンズ群は、前記一断面と垂直な断面においてパワーを持たないことを特徴とする請求項３に記載のプロジェクター。
【請求項５】
前記第１のレンズ群と前記第２のレンズ群の少なくとも一方を移動させる移動手段と、
前記画像のアスペクト比を判別する判別手段と、
前記判別手段による判別結果に基づいて前記移動手段を制御して、前記第１のレンズ群と前記第２のレンズ群との距離を変化させる距離制御手段と、をさらに有することを特徴とする請求項３または４に記載のプロジェクター。
【請求項６】
前記第１のレンズ群と前記第２のレンズ群の少なくとも一方を移動させる移動手段と、
前記第１のレンズ群と前記第２のレンズ群との距離を測定する距離測定手段と、
前記距離測定手段の測定結果に基づいて、前記画像のアスペクト比を変更することを特徴とする請求項３または４に記載のプロジェクター。
【発明の詳細な説明】
【技術分野】
【０００１】
本発明は、プロジェクター、特に画像のアスペクト比を変換するプロジェクターの技術に関する。
【背景技術】
【０００２】
プロジェクターには、表示させる画像の様式に応じて、様々なアスペクト比（縦横比）の画像信号が入力される。プロジェクターが備える液晶パネル等の光変調素子のサイズは一定であるため、アスペクト比の違いに応じて、表示画像にブランク部を設けることが行われる。例えば、液晶パネルのアスペクト比が１６：９である場合に、アスペクト比が４：３の画像信号が入力された場合には、画像の左右部分にブランク部を設けて表示する。また、液晶パネルのアスペクト比が４：３である場合に、アスペクト比が１６：９の画像信号が入力された場合には、画像の上下にブランク部を設けて表示する。
【０００３】
画像の一部にブランク部を設けた場合には、液晶パネルの表示領域の一部を使用できないため、解像度の劣化を招いてしまう。また、液晶パネル上におけるブランク部に相当する部分では、照明光を常に吸収しなければならないため、偏光板などを含めた液晶パネルの寿命が低下しやすい。
【０００４】
そこで、液晶パネルのアスペクト比と画像のアスペクト比が異なる場合に、画像を所定方向に圧縮して液晶パネルに入射させ、液晶パネルの通過後にアナモフィックレンズで復元する技術が、例えば、特許文献１に提案されている。液晶パネルと同じアスペクト比の画像信号が入力された場合には、光路上にミラーを挿入し、アナモフィックレンズを介さないルートに迂回させている。また、アナモフィックレンズの回転により２種類のアスペクト比に切り替え可能とする技術が、例えば、特許文献２に提案されている。
【先行技術文献】
【特許文献】
【０００５】
【特許文献１】特開平４−１７０１７８号公報
【特許文献２】特開平６−２５３２４２号公報
【発明の概要】
【発明が解決しようとする課題】
【０００６】
しかしながら、特許文献１に開示のものは、光路を迂回させるためのミラーやそのミラーを移動させる機構が必要になり、構造が複雑になるという問題が生じる。また、特許文献２に開示のものは、対応可能な画像のアスペクト比が２種類に限定されてしまい、設計の自由度が低下するという問題が生じる。
【０００７】
また、広角化された光を投写して、スクリーンに近い位置から光を投写することを可能とした、いわゆる近接投写型のプロジェクターがある。近接投写型のプロジェクターに対して、上述したような構成を用いた場合には、広角化された光を入射させるために、アナモフィックレンズの大型化やミラーの大型化を招き、プロジェクター自体も大型化してしまうという問題が生じる。また、ミラーを移動させる機構の収納も困難である。
【０００８】
本発明は、上述の問題に鑑みてなされたものであり、装置の大型化を抑えつつ、画質の劣化を抑えて様々なアスペクト比に対応できるプロジェクターを提供することを目的とする。
【課題を解決するための手段】
【０００９】
上述した課題を解決し、目的を達成するために、本発明は、光源部から射出される光を用いて被照射面に画像を表示させるプロジェクターであって、光源部から射出された光を画像信号に応じて変調する光変調素子と、光変調素子に変調された光を屈折させる第１光学系と、第１光学系で屈折された光を反射して広角化させる少なくとも１つの凹面ミラーを備える第２光学系と、光変調素子と第２光学系との間の光路中に配置され、被照射面に表示される画像のアスペクト比を変換させるアスペクト比変換部と、を有することを特徴とする。
【００１０】
光変調素子と第２光学系との間、すなわち、第２光学系よりも手前にアスペクト比変換部が配置されるので、第２光学系によって光が広角化される前にアスペクト比を変換することができる。これにより、アスペクト比変換部の大型化を抑えることができ、ひいては、プロジェクター自体の大型化を抑えることができる。
【００１１】
また、本発明の好ましい態様としては、アスペクト比変換部は、第１光学系と第２光学系との間の光路中に配置されることが望ましい。この構成により、第２光学系によって光が広角化される前にアスペクト比を変換することができる。これにより、アスペクト比変換部の大型化を抑えることができ、ひいては、プロジェクター自体の大型化を抑えることができる。
【００１２】
また、本発明の好ましい態様としては、アスペクト比変換部は、一断面において正のパワーを有する第１のレンズ群と、第１のレンズ群と同じ断面において負のパワーを有する第２のレンズ群と、を備えたアフォーカル光学系であることが望ましい。この構成により、２つのレンズ群を備えるという簡単な構成で画像のアスペクト比を変換することができる。また、２つのレンズ群の距離を変化させることで、画像を様々なアスペクト比に変換することができる。
【００１３】
また、本発明の好ましい態様としては、第１のレンズ群および第２のレンズ群は、一断面と垂直な断面においてパワーを持たないことが望ましい。互いに垂直な断面のうち一方の断面においてのみパワーを有することになるので、画像の縦横のうちパワーを有する一断面方向のみを変化させてアスペクト比を変換することになり、画像の縦横両方を変化させる場合に比べてアスペクト比変換の制御を簡単にすることができる。
【００１４】
また、本発明の好ましい態様としては、第１のレンズ群と第２のレンズ群の少なくとも一方を移動させる移動手段と、画像のアスペクト比を判別する判別手段と、判別手段による判別結果に基づいて移動手段を制御して、第１のレンズ群と第２のレンズ群との距離を変化させる距離制御手段と、をさらに有することが望ましい。判別手段によるアスペクト比の判別結果に基づいてレンズ群の位置が変化されるので、利用者の手を煩わせることなく、画像の劣化を抑えて適切なアスペクト比で画像を表示させることができる。
【００１５】
また、本発明の好ましい態様としては、第１のレンズ群と第２のレンズ群の少なくとも一方を移動させる移動手段と、第１のレンズ群と第２のレンズ群との距離を測定する距離測定手段と、距離測定手段の測定結果に基づいて、画像のアスペクト比を変更することが望ましい。
【００１６】
手動で第１のレンズ群と第２のレンズ群の間の距離を変更しても、最適なアスペクト比の画像を表示させることができので、利用者の手を煩わせることなく、画像の劣化を抑えて適切なアスペクト比で画像を表示させることができる。
【図面の簡単な説明】
【００１７】
【図１】本発明の実施例に係るプロジェクターの使用状態を示す斜視図。
【図２】プロジェクター内部の概略構成を示す横断面図。
【図３】投写光学部の概略構成を示す図。
【図４】アスペクト比変換部の（ａ）横断面図、（ｂ）平面断面図。
【図５】第２のレンズ群が広角側に配置されたアスペクト比変換部の平面断面図。
【図６】第２のレンズ群が望遠側に配置されたアスペクト比変換部の平面断面図。
【図７】像形成光学部の概略構成を示す図。
【図８】制御システムの概略構成を示すブロック図。
【図９】制御システムの変形例の概略構成を示すブロック図。
【発明を実施するための形態】
【００１８】
以下に図面を参照して、本発明の実施例を詳細に説明する。
【実施例】
【００１９】
図１は、本発明の実施例に係るプロジェクターの使用状態を示す斜視図である。図２は、プロジェクター内部の概略構成を示す横断面図である。プロジェクター１はスクリーンに投写光を投写して画像を表示させるフロント投写型のプロジェクターである。観察者はスクリーンに表示された画像を観察する。プロジェクター１は、スクリーン１０に近い位置から広角化された投写光を投写して画像を表示させる近接投写型のプロジェクターである。
【００２０】
スクリーン１０は、反射型投影板であり、表側のスクリーン投写面（被照射面）１０ａに入射した入射光を拡散反射することにより画像を表示する。なお、スクリーン投写面１０ａの法線に沿う軸をＺ軸とする。Ｚ軸と直交し互いに垂直に交わる軸をＸ軸及びＹ軸とする。
【００２１】
プロジェクター１は、筐体２、投写光学部５０、像形成光学部６０を有して大略構成される。投写光学部５０、像形成光学部６０は、筐体２の内部に備えられる。筐体２には、投写光学部５０から投写された投写光を外部に射出させるための開口部２ａが形成されている。
【００２２】
投写光学部５０は、物面ＯＳ上の画像をスクリーン１０のスクリーン投写面１０ａ上に拡大投写するためのものである。投写光学部５０は、屈折光学系（第１光学系）４、反射光学系（第２光学系）６、アスペクト比変換部８を有して構成される。屈折光学系４は、複数のレンズで構成され、反射光学系６は、少なくとも１つの凹面ミラーを備える。
【００２３】
図３は、投写光学部５０の概略構成を示す図である。屈折光学系４は、図２のスクリーン１０の下方において、スクリーン投写面１０ａに対して垂直に延びる光軸ＯＡに沿って配置された複数の屈折レンズで構成される。各レンズは、物面ＯＳ側から反射光学系６に向かって配列されている。各レンズは、光軸ＯＡに対し回転対称になっている。なお、各レンズの全部または一部が非回転対称になっていても構わない。各レンズの配置は、反射光学系６等の形状や配置との関係でスクリーン１０に最適な投写ができるように調整されている。なお、光軸ＯＡは、スクリーン投写面１０ａに対して垂直に延びる場合に限られない。また、各レンズの一部、またはすべての光軸が同一でなくても構わない。
【００２４】
物面ＯＳ上の各物点からは、物面ＯＳに垂直で光軸ＯＡに平行な主光線を中心として一定の広がりを有する光束が射出する。物面ＯＳから射出した光束は、屈折光学系４を通過する際に屈折されて、光軸ＯＡよりも下側方向に向かう。屈折光学系４を通過した光は、光軸ＯＡよりも下側に設けられている反射光学系６で反射され、放射状の投写光としてスクリーン１０に投写される。
【００２５】
反射光学系６は、１枚の凹面ミラー３１で構成される。この凹面ミラー３１は、光軸ＯＡを軸とする回転対称面で構成され、反射面が凹面形状となっている。凹面ミラー３１は、光軸ＯＡの下側すなわち光軸ＯＡを挟んだスクリーン１０の反対側部分で光を反射させる。凹面ミラー３１は、屈折光学系４を通過した光束を、スクリーン１０のスクリーン投写面１０ａに向けて反射させる。なお、反射光学系６が複数の凹面ミラーを有して構成されていてもよい。
【００２６】
屈折光学系４を通過した光束は、凹面反射ミラーである凹面ミラー３１によって、一旦収束してその後拡散するように反射される。すなわち、凹面ミラー３１は、投写光を広角化させる機能を発揮する。このように、凹面ミラー３１で投写光を広角化させるプロジェクターでは、屈折光学系４を通過した光が、反射光学系６に入射する手前で中間像５５を結像する。
【００２７】
図４は、アスペクト比変換部８の詳細な構成を説明するための部分拡大図であって、（ａ）は横方向側（Ｘ軸に沿った負の方向側）からアスペクト比変換部８を見た横断面図、（ｂ）は上方向側（Ｙ軸に沿った正の方向側）からアスペクト比変換部８を見た平面断面図である。アスペクト比変換部８は、屈折光学系４と反射光学系６との間の光路中に配置されている。なお、アスペクト比変換部８が配置される位置はこれに限られず、後述する各光用空間光変調素子と反射光学系６との間の光路中に配置されればよい。
【００２８】
アスペクト比変換部８は、第１のレンズ群Ｌ１と第２のレンズ群Ｌ２を有している。第１のレンズ群Ｌ１は、平面断面（一断面）において正のパワーを有する。第２のレンズ群Ｌ２は、平面断面（一断面）において正のパワーを有する。また、第１のレンズ群Ｌ１および第２のレンズ群Ｌ２は、横断面においてはパワーを持たない。レンズ群Ｌ１およびレンズ群Ｌ２は、少なくとも１のレンズを有して構成される。本実施例では、レンズ群Ｌ１およびレンズ群Ｌ２は、説明の簡単のために、平面断面と横断面とで曲率の異なる１のレンズで構成されたもので説明する。第１のレンズ群Ｌ１は、平面断面において光の入射面と出射面の両面が凸面となっているが、横断面における両面の曲率は無限大となっている。第２のレンズ群Ｌ２は、平面断面において光の入射面と出射面の両面が凹面となっているが、横断面における両面の曲率は無限大となっている。
【００２９】
両レンズ群Ｌ１，Ｌ２のうち、第２のレンズ群Ｌ２は、光軸ＯＡに沿って平行に移動可能とされている。なお、以下、第１のレンズ群Ｌ１から反射光学系６方向に離れた側を広角側といい、第１のレンズ群Ｌ１に近い側を望遠側という。
【００３０】
図５，図６は、アスペクト比変換部８による、アスペクト比の変換の原理を説明するための図であり、図５では第２のレンズ群Ｌ２が広角側に配置され、図６では第２のレンズ群Ｌ２が望遠側に配置されている。アスペクト比変換部８はアフォーカル光学系となっており、第２のレンズ群Ｌ２が広角側に配置されている場合と望遠側に配置されている場合のどちらも、第１のレンズ群Ｌ１と第２のレンズ群Ｌ２とはアフォーカルな関係となる。なお、図５，図６では、平面断面のみを示す。
【００３１】
図５に示すように屈折光学系４から射出された光束は、第１のレンズ群Ｌ１および第２のレンズ群Ｌ２を通過することで、Ｘ軸方向における幅が狭められる。図６に示すように、第２のレンズ群Ｌ２が望遠側に配置されている場合にも、屈折光学系４から射出された光束は、Ｘ軸方向における幅が狭められる。
【００３２】
ここで、屈折光学部４から射出される光束の幅をｘ１、広角側に配置されている第２のレンズ群Ｌ２を通過した光束の幅をｘ２、望遠側に配置されている第２のレンズ群Ｌ２を通過した光束の幅をｘ３とすると、ｘ１＞ｘ３＞ｘ２という関係になる。
【００３３】
なお、両レンズ群Ｌ１，Ｌ２はアナモフィックレンズであるため、第２のレンズ群Ｌ２が広角側に配置されている場合も、望遠側に配置されている場合も、Ｙ軸方向における光束の幅はほとんど変化しない。
【００３４】
なお、本実施例では、第１のレンズ群Ｌ１と第２のレンズ群Ｌ２とは、それぞれ１枚のレンズから構成されているように説明しているが、色収差等の諸収差や、広角側から望遠側に変化したときにアフォーカルな関係を維持するために、複数のレンズで構成されていてもよい。また、第１のレンズ群Ｌ１と第２のレンズ群Ｌ２の間以外のレンズが移動する機構を有していてもよい。
【００３５】
このように、第２のレンズ群Ｌ２の位置を望遠側から広角側に変えるだけで、屈折光学系４から射出される光束の一方向だけの幅をより狭めることができる。本実施例では、中間像５５の水平方向の幅を変化させて、スクリーン１０に表示される画像のアスペクト比を変換することができる。例えば、１４：９の画像を水平方向に圧縮して、４：３の画像とすることができる。また、第２のレンズ群Ｌ２の位置を様々に変えることで、様々なアスペクト比に対応することができる。なお、画像を垂直方向に圧縮するように両レンズ群Ｌ１，Ｌ２を配置しても構わない。
【００３６】
次に、像形成光学部６０について説明する。図７は、像形成光学部６０の概略構成を示す図である。発光管７０は、赤色（Ｒ）光、緑色（Ｇ）光、青色（Ｂ）光を含む光を射出する光源部であり、例えば、超高圧水銀ランプである。
【００３７】
第１インテグレータレンズ７１及び第２インテグレータレンズ７２は、アレイ状に配列された複数のレンズ素子を有する。第１インテグレータレンズ７１は、発光管７０からの光束を複数に分割する。第１インテグレータレンズ７１の各レンズ素子は、発光管７０からの光束を第２インテグレータレンズ７２のレンズ素子近傍にて集光させる。第２インテグレータレンズ７２のレンズ素子は、第１インテグレータレンズ７１のレンズ素子の像を空間光変調装置上に形成する。
【００３８】
２つのインテグレータレンズ７１、７２を経た光は、偏光変換素子７３にて特定の振動方向の直線偏光に変換される。重畳レンズ７４は、第１インテグレータレンズ７１の各レンズ素子の像を空間光変調装置上で重畳させる。第１インテグレータレンズ７１、第２インテグレータレンズ７２及び重畳レンズ７４は、発光管７０からの光の強度分布を空間光変調装置上にて均一化させる。重畳レンズ７４からの光は、第１ダイクロイックミラー７５に入射する。第１ダイクロイックミラー７５は、Ｒ光を反射し、Ｇ光及びＢ光を透過させる。第１ダイクロイックミラー７５で反射したＲ光は、第１ダイクロイックミラー７５、反射ミラー７６でそれぞれ光路が折り曲げられ、Ｒ光用フィールドレンズ７７Ｒへ入射する。Ｒ光用フィールドレンズ７７Ｒは、反射ミラー７６からのＲ光を平行化し、Ｒ光用空間光変調装置１４Ｒへ入射させる。
【００３９】
Ｒ光用空間光変調装置１４Ｒは、Ｒ光を画像信号に応じて変調する空間光変調装置である。Ｒ光用空間光変調装置１４Ｒで変調されたＲ光は、色合成光学系であるクロスダイクロイックプリズム８０へ入射する。
【００４０】
第１ダイクロイックミラー７５を透過したＧ光及びＢ光は、第２ダイクロイックミラー８１へ入射する。第２ダイクロイックミラー８１は、Ｇ光を反射し、Ｂ光を透過させる。第２ダイクロイックミラー８１で反射したＧ光は、第２ダイクロイックミラー８１で光路が折り曲げられ、Ｇ光用フィールドレンズ７７Ｇへ入射する。Ｇ光用フィールドレンズ７７Ｇは、第２ダイクロイックミラー８１からのＧ光を平行化し、Ｇ光用空間光変調装置１４Ｇへ入射させる。Ｇ光用空間光変調装置１４Ｇは、Ｇ光を画像信号に応じて変調する空間光変調装置である。Ｇ光用空間光変調装置１４Ｇで変調されたＧ光は、クロスダイクロイックプリズム８０のうちＲ光が入射した面とは異なる面へ入射する。なお、各光用空間光変調装置１４Ｒ，１４Ｇ，１４Ｂは、透過型変調素子であり、例えば、液晶パネルである。
【００４１】
第２ダイクロイックミラー８１を透過したＢ光は、リレーレンズ８２を透過した後、反射ミラー８３での反射により光路が折り曲げられる。反射ミラー８３からのＢ光は、さらにリレーレンズ８４を透過した後、反射ミラー８５での反射により光路が折り曲げられ、Ｂ光用フィールドレンズ７７Ｂへ入射する。Ｒ光の光路及びＧ光の光路よりもＢ光の光路が長いことから、空間光変調装置における照明倍率を他の色光と等しくするために、Ｂ光の光路には、リレーレンズ８２、８４を用いるリレー光学系が採用されている。
【００４２】
Ｂ光用フィールドレンズ７７Ｂは、反射ミラー８５からのＢ光を平行化し、Ｂ光用空間光変調装置１４Ｂへ入射させる。Ｂ光用空間光変調装置１４Ｂは、Ｂ光を画像信号に応じて変調する空間光変調装置である。Ｂ光用空間光変調装置１４Ｂで変調されたＢ光は、クロスダイクロイックプリズム８０のうちＲ光が入射する面、Ｇ光が入射する面とは異なる面へ入射する。
【００４３】
クロスダイクロイックプリズム８０は、互いに略直交するように配置された２つのダイクロイック膜８６、８７を有する。第１ダイクロイック膜８６は、Ｒ光を反射し、Ｇ光及びＢ光を透過させる。第２ダイクロイック膜８７は、Ｂ光を反射し、Ｒ光及びＧ光を透過させる。クロスダイクロイックプリズム８０は、それぞれ異なる方向から入射したＲ光、Ｇ光及びＢ光を合成し、投写光学部５０の方向へ射出する。クロスダイクロイックプリズム８０から射出された像光は、投写光学部５０の屈折光学系４等を経て投写される。
【００４４】
図８は、プロジェクター１の制御システムＳの概略構成を示すブロック図である。プロジェクター１の制御システムＳは、移動手段１８、画像制御部２０、距離制御部（距離制御手段）２２を有して構成される。移動手段１８は、第２のレンズ群Ｌ２を移動させる機能を備える。移動手段１８として、例えば、モーターが用いられる。画像制御部２０は、画像信号に応じて像形成光学部６０が備える各光用空間光変調装置１４Ｒ，１４Ｇ，１４Ｂ等を制御する。また、画像制御部２０は、画像信号から画像のアスペクト比を判別する判別手段として機能する。画像制御部２０は、アスペクト比の判別結果を距離制御部２２に送信する。距離制御部２２は、アスペクト比の判別結果に基づいて、移動手段１８を制御して、第２のレンズ群Ｌ２を移動させ、第１のレンズ群Ｌ１と第２のレンズ群Ｌ２との距離が適切になるようする。
【００４５】
このように、移動手段１８、画像制御部２０、距離制御部２２が協働して、画像信号に応じて第２のレンズ群Ｌ２の位置を制御するので、利用者の手を煩わせることなく、画像の劣化を抑えて適切なアスペクト比で画像を表示させることができる。
【００４６】
図９は、プロジェクター１の制御システムＳの変形例の概略構成を示すブロック図である。プロジェクター１の制御システムＳは、距離測定手段１８ａ、画像制御部２０を有して構成される。距離測定手段１８ａは、第１のレンズ群Ｌ１と第２のレンズ群Ｌ２との間の距離を測定する。距離測定手段１８ａとしては、例えばエンコーダが用いられる。画像制御部２０は、距離測定手段１８ａの測定結果から、投写光学系のアスペクト比を計算し、そのアスペクト比に修正された画像信号を、像形成光学部６０が備える各光用空間光変調装置１４Ｒ，１４Ｇ，１４Ｂ等に送る。
【００４７】
このように、手動で第１のレンズ群と第２のレンズ群の間の距離を変更しても、最適なアスペクト比の画像を表示させることができるので、利用者の手を煩わせることなく、画像の劣化を抑えて適切なアスペクト比で画像を表示させることができる。
【００４８】
なお、図８に示す構成のように、画像信号に応じてレンズ群Ｌ１，Ｌ２の位置を制御する機能と、本変形例に示す構成のように、レンズ群Ｌ１，Ｌ２の位置に応じて画像信号を制御する機能とを、ユーザが選択して切り替えられるようにしてもよい。
【００４９】
なお、本実施例では、フロント投写方式のプロジェクターとして説明したが、もちろんリア投写方式のプロジェクターであっても構わない。また、本実施例では、第２のレンズ群Ｌ２を移動可能としているが、第１のレンズ群Ｌ１を移動可能としてもよいし、両レンズ群Ｌ１，Ｌ２を移動可能としてもよい。すなわち、第１のレンズ群Ｌ１と第２のレンズ群Ｌ２との距離が可変となる構成であればよい。
【符号の説明】
【００５０】
Ｌ１  第１のレンズ群、Ｌ２  第２のレンズ群、Ｓ  制御システム、１  プロジェクター、２  筐体、２ａ  開口部、４  屈折光学系（第１光学系）、６  反射光学系（第２光学系）、８  アスペクト比変換部、１０  スクリーン、１０ａ  スクリーン投写面（被照射面）、１４Ｒ  Ｒ光用空間光変調素子（第１光変調素子）、１４Ｇ  Ｇ光用空間光変調素子（第１光変調素子）、１４Ｂ  Ｂ光用空間光変調素子（第１光変調素子）、１８  移動手段、１８ａ  距離測定手段、２０  画像制御部（判別手段）、２２  距離制御部（距離制御手段）、３１  凹面ミラー、５０  投写光学部、５５  中間像、６０  像形成光学部、７０  発光管、７１  第１インテグレータレンズ、７２  第２インテグレータレンズ、７３  偏光変換素子、７４  重畳レンズ、７５  第１ダイクロイックミラー、７６  反射ミラー、７７Ｒ  Ｒ光用フィールドレンズ、７７Ｇ  Ｇ光用フィールドレンズ、７７Ｂ  Ｂ光用フィールドレンズ、８０  クロスダイクロイックプリズム、８１  第２ダイクロイックミラー、８２  リレーレンズ、８３  反射ミラー、８４  リレーレンズ、８５  反射ミラー、８６  第１ダイクロイック膜、８７  第２ダイクロイック膜
【図１】
2010217830.tif 000003
【図２】
2010217830.tif 000004
【図３】
2010217830.tif 000005
【図４】
2010217830.tif 000006
【図５】
2010217830.tif 000007
【図６】
2010217830.tif 000008
【図７】
2010217830.tif 000009
【図８】
2010217830.tif 000010
【図９】
2010217830.tif 000011